(57)【要約】  分配器（１２）は、アンテナ（１１）で受信された受信信号をＢＴ／ＷＬＡＮ通過フィルタ（１３）に入る第１受信信号とＬＴＥ通過フィルタ（２０）に入る第２受信信号とに分配する。ＬＴＥ検知部（２１）は、ＬＴＥ通過フィルタ（２０）を通過したＬＴＥ妨害波を検知する。制御部（２２）は、ＬＴＥ検知部（２１）によりＬＴＥ妨害波が検知された場合、ＢＴ／ＷＬＡＮ通過フィルタ（１３）に対するにＢＴ送信アンプ（１５）、ＢＴ受信アンプ（１６）、ＷＬＡＮ送信アンプ（１７）、およびＷＬＡＮ受信アンプ（１８）の接続をオフするようスイッチ（１４）を制御する。
2019082383.tif 000002
【特許請求の範囲】
【請求項１】
無線通信用のアンテナと、
希望波を通過させる希望波通過フィルタと、
前記アンテナで受信され前記希望波通過フィルタを通過した受信信号を増幅する受信アンプと、
前記希望波通過フィルタを通過し前記アンテナから送信される送信信号を増幅する送信アンプと、
前記希望波通過フィルタに対する前記受信アンプおよび前記送信アンプの接続をオンオフするスイッチと、
前記アンテナで受信された受信信号に含まれる妨害波を通過させる妨害波通過フィルタと、
前記アンテナと前記希望波通過フィルタとの間に設置され、前記アンテナで受信された受信信号を前記希望波通過フィルタと前記妨害波通過フィルタとに分配する分配器と、
前記妨害波通過フィルタを通過した妨害波を検知する妨害波検知部と、
前記妨害波検知部により妨害波が検知された場合、前記希望波通過フィルタに対する前記受信アンプおよび前記送信アンプの接続をオフするよう前記スイッチを制御する制御部とを備える無線通信装置。
【請求項２】
前記希望波通過フィルタと前記受信アンプとが接続されている期間に前記妨害波検知部により妨害波が検知された場合、前記受信アンプにより増幅された受信信号を誤り訂正処理する信号処理部を備える請求項１記載の無線通信装置。
【請求項３】
前記希望波通過フィルタと前記受信アンプとが接続されている期間に前記妨害波検知部により妨害波が検知された場合、受信信号の再送を要求する処理を行う信号処理部を備える請求項１記載の無線通信装置。
【請求項４】
前記希望波通過フィルタと前記送信アンプとが接続されている期間に前記妨害波検知部により妨害波が検知された場合、送信信号を再送する処理を行う信号処理部を備えることを特徴とする請求項１記載の無線通信装置。
【請求項５】
前記アンテナ、前記希望波通過フィルタ、前記受信アンプ、前記送信アンプ、および前記スイッチを含む通信系統を複数備え、
前記複数の通信系統の１つは、さらに前記分配器、前記妨害波通過フィルタ、および前記妨害波検知部を備え、
前記制御部は、前記妨害波検知部により妨害波が検知された場合、前記複数の通信系統のすべてにおいて、前記希望波通過フィルタに対する前記受信アンプおよび前記送信アンプの接続をオフするよう前記スイッチを制御することを特徴とする請求項１記載の無線通信装置。
【請求項６】
前記希望波は、ブルートゥースまたは無線ＬＡＮの少なくとも一方の電波であり、前記妨害波は、移動通信の電波であることを特徴とする請求項１記載の無線通信装置。
【請求項７】
前記複数の通信系統の一方はブルートゥースと無線ＬＡＮとの兼用であり、もう一方は無線ＬＡＮ専用である場合、前記無線ＬＡＮ専用の通信系統は、前記分配器、前記妨害波通過フィルタ、および前記妨害波検知部を備えることを特徴とする請求項５記載の無線通信装置。
【請求項８】
車両に搭載されることを特徴とする請求項１記載の無線通信装置。
【発明の詳細な説明】
【技術分野】
【０００１】
この発明は、無線通信装置に関するものである。
【背景技術】
【０００２】
車両の車室内に持ち込まれたスマートフォン等の携帯端末と、カーナビゲーションシステム等の無線通信装置とが、ブルートゥース（「ブルートゥース」は登録商標、以下では登録商標の記載を省略する。）または無線ＬＡＮ（Ｌｏｃａｌ  Ａｒｅａ  Ｎｅｔｗｏｒｋ）といった無線通信により接続され、ハンズフリー通話またはテザリング等のサービスに利用される。携帯端末は、上記無線通信の電波に加え、ＬＴＥ（Ｌｏｎｇ  Ｔｅｒｍ  Ｅｖｏｌｕｔｉｏｎ）等の移動通信の電波も出力する。そのため、無線通信装置の近くに置かれた携帯端末からの移動通信電波が、無線通信装置の無線通信用アンテナに干渉し、内部処理回路に入り込んで送信パワーアンプまたは受信ローノイズアンプを飽和させ、無線通信の信号誤りを引き起こし、通信品質を劣化させる。【０００３】
携帯端末には、移動通信と無線通信の両機能が搭載されているが、互いの電波を発するタイミングをずらす等することによって、携帯端末内部で干渉が発生しないよう設計されている。一方、無線通信装置は、携帯端末が移動通信の電波を発するタイミングを知る術が無いため、干渉を回避できない。【０００４】
無線通信装置の干渉回避策として、無線通信の周波数帯だけを通過させ、移動通信等の他の周波数帯を遮断するフィルタを、無線通信装置のアンテナ直後に用いることが一般的である。しかしながら、国によっては、図１に示されるように、ブルートゥースまたは無線ＬＡＮの周波数帯とＬＴＥのＢａｎｄ４０等の周波数帯とが近接している場合がある。この図１は、ブルートゥースまたは無線ＬＡＮの利用周波数帯と、ＬＴＥの利用周波数帯とを示すグラフであり、横軸は周波数である。図１の場合、１ＭＨｚといった短い帯域を遮断できるフィルタは存在せず、実際にはブルートゥースまたは無線ＬＡＮの電波だけでなくＬＴＥ電波も幾分か通過させてしまうフィルタを使用せざるを得ず、十分に妨害波を遮断することができなかった。【０００５】
特許文献１に係る無線通信装置は、直交周波数分割多重方式（ＯＦＤＭ）のサブバンドの１つを干渉モニタ用に割り当て、干渉を検知したらフィルタ特性を変更して干渉を抑圧する。
【先行技術文献】
【特許文献】
【０００６】
【特許文献１】特開２００９−６５６５３号公報
【発明の概要】
【発明が解決しようとする課題】
【０００７】
無線通信装置の干渉回避策として使用されるフィルタは、十分に妨害波を遮断することができないという課題があった。また、特許文献１に係る無線通信装置は、無線通信方式がＯＦＤＭに限られるため、ＯＦＤＭではないブルートゥースには適用できず干渉を抑圧できないという課題があった。【０００８】
この発明は、上記のような課題を解決するためになされたもので、ブルートゥースまたは無線ＬＡＮ等の希望波に対する妨害波の干渉を回避することを目的とする。
【課題を解決するための手段】
【０００９】
この発明に係る無線通信装置は、無線通信用のアンテナと、希望波を通過させる希望波通過フィルタと、アンテナで受信され希望波通過フィルタを通過した受信信号を増幅する受信アンプと、希望波通過フィルタを通過しアンテナから送信される送信信号を増幅する送信アンプと、希望波通過フィルタに対する受信アンプおよび送信アンプの接続をオンオフするスイッチと、アンテナで受信された受信信号に含まれる妨害波を通過させる妨害波通過フィルタと、アンテナと希望波通過フィルタとの間に設置され、アンテナで受信された受信信号を希望波通過フィルタと妨害波通過フィルタとに分配する分配器と、妨害波通過フィルタを通過した妨害波を検知する妨害波検知部と、妨害波検知部により妨害波が検知された場合、希望波通過フィルタに対する受信アンプおよび送信アンプの接続をオフするようスイッチを制御する制御部とを備えるものである。
【発明の効果】
【００１０】
この発明によれば、妨害波を検知した場合、希望波通過フィルタに対する受信アンプおよび送信アンプの接続をオフするようにしたので、ブルートゥースまたは無線ＬＡＮ等の希望波に対する妨害波の干渉を回避することができる。
【図面の簡単な説明】
【００１１】
【図１】ブルートゥースまたは無線ＬＡＮの利用周波数帯と、ＬＴＥの利用周波数帯とを示すグラフである。
【図２】実施の形態１に係る無線通信装置および携帯端末の車室内における位置関係を示す図である。
【図３】実施の形態１に係る無線通信装置の構成例を示すブロック図である。
【図４】実施の形態１のスイッチにおける接続の切り替えタイミングの一例を示す。
【図５】実施の形態１に係る無線通信装置の動作例を示すタイミングチャートである。
【図６】実施の形態１に係る無線通信装置の動作例を示すフローチャートである。
【図７】実施の形態２に係る無線通信装置の構成例を示すブロック図である。
【図８】図８Ａおよび図８Ｂは、各実施の形態に係る無線通信装置のハードウェア構成例を示す図である。
【発明を実施するための形態】
【００１２】
以下、この発明をより詳細に説明するために、この発明を実施するための形態について、添付の図面に従って説明する。
実施の形態１．
図２は、実施の形態１に係る無線通信装置１０および携帯端末１の車室内における位置関係を示す図である。ここでは、無線通信装置１０および携帯端末１は、車両の車室内において使用される。無線通信装置１０は、カーナビゲーションシステム等の車載機器である。携帯端末１は、スマートフォン等である。無線通信装置１０と携帯端末１とは、ブルートゥース（以下では「ＢＴ」とも呼ぶ。）または無線ＬＡＮ（以下では「ＷＬＡＮ」とも呼ぶ。）等の無線通信により接続される。つまり、無線通信装置１０および携帯端末１のそれぞれは、希望波としてＢＴ／ＷＬＡＮ電波２を出力する。ここでの「／」は、「または」の意味で用いられる。携帯端末１は、ＢＴ／ＷＬＡＮ電波２に加え、ＬＴＥ等の移動通信のＬＴＥ電波３を出力する。ＬＴＥ電波３は、ＢＴ／ＷＬＡＮ電波２と周波数帯が近いためにＢＴ／ＷＬＡＮ電波２の妨害波になる。なお、携帯端末１の移動通信は、ＬＴＥではなく２Ｇまたは３Ｇであってもよい。
【００１３】
図３は、実施の形態１に係る無線通信装置１０の構成例を示すブロック図である。無線通信装置１０は、アンテナ１１、分配器１２、ＢＴ／ＷＬＡＮ通過フィルタ１３、スイッチ１４、ＢＴ送信アンプ１５、ＢＴ受信アンプ１６、ＷＬＡＮ送信アンプ１７、ＷＬＡＮ受信アンプ１８、信号処理部１９、ＬＴＥ通過フィルタ２０、ＬＴＥ検知部２１、および制御部２２を備える。
【００１４】
無線通信装置１０の受信方向の動作を説明する。
ＢＴ／ＷＬＡＮ用のアンテナ１１が受信した受信信号が、分配器１２により第１受信信号と第２受信信号とに分配される。第１受信信号と第２受信信号とは同じ信号である。分配器１２により分配された第１受信信号は、ＢＴ／ＷＬＡＮ通過フィルタ１３に入り、ブルートゥースまたは無線ＬＡＮで使用される周波数帯の信号のみが通過し、ＬＴＥ等のその他の周波数帯の信号が減衰する。このＢＴ／ＷＬＡＮ通過フィルタ１３は、希望波通過フィルタである。スイッチ１４は、制御部２２からの指示により、ブルートゥース受信のタイミングではＢＴ／ＷＬＡＮ通過フィルタ１３とＢＴ受信アンプ１６との接続をオンし、無線ＬＡＮ受信のタイミングではＢＴ／ＷＬＡＮ通過フィルタ１３とＷＬＡＮ受信アンプ１８との接続をオンする。フィルタ後の第１受信信号は、ＢＴ受信アンプ１６またはＷＬＡＮ受信アンプ１８にて増幅され、信号処理部１９にて受信処理される。受信処理は、図示しないＡＤ（Ａｎａｌｏｇ−Ｄｉｇｉｔａｌ）変換器により電気的な第１受信信号をディジタル信号に変換する処理、ディジタル信号を復調する処理、および誤りを検知して訂正する処理等を含む。
【００１５】
制御部２２は、スイッチ１４における接続の切り替えタイミングを、無線通信装置１０とブルートゥース通信対向機器とのネゴシエーションの結果、または無線通信装置１０と無線ＬＡＮ通信対向機器とのネゴシエーションの結果に基づいて決定する。通信対向機器は、例えば携帯端末１である。ネゴシエーションは、信号処理部１９が実施し、ネゴシエーションの結果は、信号処理部１９から制御部２２へ通知される。制御部２２は、決定した接続の切り替えタイミングに従い、スイッチ１４へ指示を出す。
【００１６】
無線通信装置１０の送信方向の動作を説明する。
信号処理部１９が、ブルートゥースの通信対向機器用のディジタル信号または無線ＬＡＮの通信対向機器用のディジタル信号を生成して変調し、図示しないＤＡ（Ｄｉｇｉｔａｌ−Ａｎａｌｏｇ）変換器により電気的な送信信号に変換する送信処理を行う。スイッチ１４は、制御部２２からの指示により、ブルートゥース送信のタイミングではＢＴ／ＷＬＡＮ通過フィルタ１３とＢＴ送信アンプ１５との接続をオンし、無線ＬＡＮ送信のタイミングではＢＴ／ＷＬＡＮ通過フィルタ１３とＷＬＡＮ送信アンプ１７との接続をオンする。送信信号は、ＢＴ送信アンプ１５またはＷＬＡＮ送信アンプ１７にて増幅され、ＢＴ／ＷＬＡＮ通過フィルタ１３に入り、ブルートゥースまたは無線ＬＡＮで使用される周波数帯の信号のみが通過し、ＬＴＥ等のその他の周波数帯の信号が減衰する。フィルタ後の送信信号は、分配器１２を経由してアンテナ１１から放出される。
【００１７】
制御部２２は、受信時と同様に、スイッチ１４における接続の切り替えタイミングを、無線通信装置１０とブルートゥース通信対向機器とのネゴシエーションの結果、または無線通信装置１０と無線ＬＡＮ通信対向機器とのネゴシエーションの結果に基づいて決定する。制御部２２は、決定した接続の切り替えタイミングに従い、スイッチ１４へ指示を出す。
【００１８】
ここで、図４に、スイッチ１４における接続の切り替えタイミングの一例を示す。スイッチ１４は、制御部２２からの指示に従い、ブルートゥースの送信期間ＴｘにＢＴ／ＷＬＡＮ通過フィルタ１３とＢＴ送信アンプ１５との接続をオンし、ブルートゥースの受信期間ＲｘにＢＴ／ＷＬＡＮ通過フィルタ１３とＢＴ受信アンプ１６との接続をオンする。また、スイッチ１４は、制御部２２からの指示に従い、無線ＬＡＮの送信期間ＴｘにＢＴ／ＷＬＡＮ通過フィルタ１３とＷＬＡＮ送信アンプ１７との接続をオンし、無線ＬＡＮの受信期間ＲｘにＢＴ／ＷＬＡＮ通過フィルタ１３とＷＬＡＮ受信アンプ１８との接続をオンにする。
【００１９】
上述したＢＴ／ＷＬＡＮ通過フィルタ１３は、図１に示されるブルートゥースまたは無線ＬＡＮの周波数帯を通過させるだけでなく、ＬＴＥのＢａｎｄ４０等の周波数帯も幾分か通過させてしまう特性をもつ。そのため、携帯端末１が出力するＬＴＥ電波がアンテナ１１に干渉し、ＢＴ送信アンプ１５、ＢＴ受信アンプ１６、ＷＬＡＮ送信アンプ１７、およびＷＬＡＮ受信アンプ１８を飽和させ、ブルートゥースおよび無線ＬＡＮの信号誤りを引き起こし、通信品質を劣化させる場合がある。そこで、無線通信装置１０は、干渉を回避するために、分配器１２、ＬＴＥ通過フィルタ２０、およびＬＴＥ検知部２１を備える。
【００２０】
分配器１２にて分配された第２受信信号は、ＬＴＥ通過フィルタ２０へ入り、妨害波として検知させたいＬＴＥ周波数帯の信号のみが通過し、その他の周波数帯の信号が減衰する。その後、ＬＴＥ検知部２１は、ＬＴＥ妨害波がアンテナ１１に入力されたことを検知する。ＬＴＥ検知部２１は、例えば、フィルタ後の第２受信信号の値が予め定められた閾値以上である場合に、ＬＴＥ妨害波を検知する。ＬＴＥ検知部２１は、ＬＴＥ妨害波を検知した場合、制御部２２へ検知したことを知らせる検知信号を出力する。ＬＴＥ検知部２１は、ＬＴＥ妨害波が検知されない場合、特に何も知らせる必要はない。このＬＴＥ通過フィルタ２０は妨害波通過フィルタであり、ＬＴＥ検知部２１は妨害波検知部である。
【００２１】
制御部２２は、ＬＴＥ検知部２１から検知信号を受けた場合、ＢＴ送信アンプ１５、ＢＴ受信アンプ１６、ＷＬＡＮ送信アンプ１７、およびＷＬＡＮ受信アンプ１８がＬＴＥ妨害波により飽和しないよう、すべての接続をオフさせるようにスイッチ１４に指示する。また、制御部２２は、受信処理または送信処理を中断するように信号処理部１９に対して指示する。
【００２２】
スイッチ１４においてすべての接続をオフする動作が間に合わずＢＴ受信アンプ１６またはＷＬＡＮ受信アンプ１８が飽和することで誤った信号が信号処理部１９に入る場合があるため、制御部２２は、第１受信信号の誤り訂正処理を信号処理部１９に対して指示する。制御部２２は、誤り訂正だけでは処理しきれない場合には、通信対向機器に対して受信信号の再送を要求するように信号処理部１９に指示する。この場合、制御部２２は、ＢＴ／ＷＬＡＮ通過フィルタ１３とＢＴ送信アンプ１５との接続またはＢＴ／ＷＬＡＮ通過フィルタ１３とＷＬＡＮ送信アンプ１７との接続をオンするようにスイッチ１４に指示する。なお、ブルートゥースおよび無線ＬＡＮの誤り訂正処理と再送要求処理とは、周知の技術であるため説明を省略する。
【００２３】
また、制御部２２は、スイッチ１４においてすべての接続をオフする動作が間に合わずＢＴ送信アンプ１５またはＷＬＡＮ送信アンプ１７が飽和することで誤った信号がアンテナ１１から放出される場合があるため、制御部２２は、送信信号を再送するように信号処理部１９に指示する。この場合、制御部２２は、ＢＴ／ＷＬＡＮ通過フィルタ１３とＢＴ送信アンプ１５との接続またはＢＴ／ＷＬＡＮ通過フィルタ１３とＷＬＡＮ送信アンプ１７との接続をオンするようにスイッチ１４に指示する。
【００２４】
図５は、実施の形態１に係る無線通信装置１０の動作例を示すタイミングチャートであり、横軸は時間である。例えば、無線通信装置１０がブルートゥースまたは無線ＬＡＮにて通信対向機器と通信している途中のＡ−Ａ′間に、ＬＴＥ妨害波がアンテナ１１から入力されたとする。ＬＴＥ妨害波は、分配器１２およびＬＴＥ通過フィルタ２０を経由した後、Ｂ−Ｂ′間、ＬＴＥ検知部２１にて検知されて検知信号が出力される。その後、制御部２２によりＣ−Ｃ′間、スイッチ１４のすべての接続がオフにされる。Ａ−Ｃ間では、ＬＴＥ妨害波が入力され、かつスイッチ１４のいずれか１つの接続がオンになっているため、接続がオンになっているアンプが飽和して第１受信信号または送信信号に誤りが発生している可能性がある。その場合、信号処理部１９は、第１受信信号の誤り訂正処理もしくは通信対向機器への再送要求処理、または送信信号の通信対向機器への再送処理を行う。Ｃ−Ａ′間は、ＬＴＥ妨害波が入力されているがスイッチ１４のすべての接続がオフになっている区間、Ａ′−Ｃ′間は、ＬＴＥ妨害波は入力されていないがスイッチ１４のすべての接続がオフになっている区間である。これら２区間を合わせたＣ−Ｃ′間は、ブルートゥースまたは無線ＬＡＮでの送受信が行われないため、信号処理部１９は、この区間で受信するはずであった第１受信信号の再送要求処理、またはこの区間で送信するはずであった送信信号の再送処理を行う。
【００２５】
図６は、実施の形態１に係る無線通信装置１０の動作例を示すフローチャートである。無線通信装置１０は、図６のフローチャートに示される動作を繰り返し行う。
【００２６】
ステップＳＴ１において、制御部２２は、通信対向機器とのネゴシエーションの結果に基づいてスイッチ１４を制御し、ＢＴ送信アンプ１５、ＢＴ受信アンプ１６、ＷＬＡＮ送信アンプ１７、またはＷＬＡＮ受信アンプ１８のうちの１つと、ＢＴ／ＷＬＡＮ通過フィルタ１３との接続をオンさせる。
【００２７】
ステップＳＴ２において、制御部２２は、ＬＴＥ検知部２１から検知信号を受けた場合（ステップＳＴ２“ＹＥＳ”）、ステップＳＴ３へ進み、検知信号を受けていない場合（ステップＳＴ２“ＮＯ”）、ステップＳＴ１４へ進む。
ステップＳＴ３において、制御部２２は、スイッチ１４に指示して、すべての接続をオフさせる。また、制御部２２は、信号処理部１９に指示して、実施中の受信処理または送信処理を中断させる。
【００２８】
ステップＳＴ４において、制御部２２は、ＬＴＥ検知部２１から検知信号を受けていない場合（ステップＳＴ４“ＹＥＳ”）、ステップＳＴ５へ進み、検知信号を受けた場合（ステップＳＴ４“ＮＯ”）、ステップＳＴ４を繰り返す。
ステップＳＴ５において、制御部２２は、スイッチ１４に指示して、すべての接続のオフ状態を解除させ、ステップＳＴ１の接続状態に復帰させる。
【００２９】
ステップＳＴ６において、制御部２２は、ＬＴＥ検知部２１から検知信号を受けた期間、つまりＬＴＥ妨害期間がブルートゥース送信期間ＢＴＴｘだった場合（ステップＳＴ６“ＹＥＳ”）、ステップＳＴ７へ進み、それ以外の場合（ステップＳＴ６“ＮＯ”）、ステップＳＴ８へ進む。
ステップＳＴ７において、制御部２２は、信号処理部１９に指示して、ブルートゥースの通信対向機器へスイッチ１４がオフしていた期間に送信するはずだった送信信号を再送させる。
【００３０】
ステップＳＴ８において、制御部２２は、ＬＴＥ妨害期間がブルートゥース受信期間ＢＴＲｘだった場合（ステップＳＴ８“ＹＥＳ”）、ステップＳＴ９へ進み、それ以外の場合（ステップＳＴ８“ＮＯ”）、ステップＳＴ１０へ進む。
ステップＳＴ９において、制御部２２は、信号処理部１９に指示して、第１受信信号を誤り訂正処理させ、信号処理部１９から誤り訂正処理結果を受け取る。制御部２２は、誤り訂正処理結果が第１受信信号の誤りを訂正しきれなかったことを示す場合、信号処理部１９に指示して、ブルートゥースの通信対向機器へ誤り訂正ができなかった第１受信信号の再送を要求する処理を行わせると共に、スイッチ１４に指示して、ＢＴ／ＷＬＡＮ通過フィルタ１３とＢＴ送信アンプ１５との接続をオンさせる。制御部２２は、再送を要求する処理の完了後、信号処理部１９に指示して、ブルートゥースの通信対向機器からの受信信号の受信処理を行わせると共に、スイッチ１４に指示して、ＢＴ／ＷＬＡＮ通過フィルタ１３とＢＴ受信アンプ１６との接続をオンさせる。
【００３１】
ステップＳＴ１０において、制御部２２は、ＬＴＥ妨害期間が無線ＬＡＮ送信期間ＷＬＡＮＴｘだった場合（ステップＳＴ１０“ＹＥＳ”）、ステップＳＴ１１へ進み、それ以外の場合（ステップＳＴ１０“ＮＯ”）、ステップＳＴ１２へ進む。
ステップＳＴ１１において、制御部２２は、信号処理部１９に指示して、無線ＬＡＮの通信対向機器へスイッチ１４がオフしていた期間に送信するはずだった送信信号を再送させる。
【００３２】
ステップＳＴ１２において、制御部２２は、ＬＴＥ妨害期間が無線ＬＡＮ受信期間ＷＬＡＮＲｘだった場合（ステップＳＴ１２“ＹＥＳ”）、ステップＳＴ１３へ進み、それ以外の場合（ステップＳＴ１２“ＮＯ”）、ステップＳＴ１４へ進む。
ステップＳＴ１３において、制御部２２は、信号処理部１９に指示して、第１受信信号を誤り訂正処理させ、信号処理部１９から誤り訂正処理結果を受け取る。制御部２２は、誤り訂正処理結果が第１受信信号の誤りを訂正しきれなかったことを示す場合、信号処理部１９に指示して、無線ＬＡＮの通信対向機器へ誤り訂正ができなかった第１受信信号の再送を要求する処理を行わせると共に、スイッチ１４に指示して、ＢＴ／ＷＬＡＮ通過フィルタ１３とＷＬＡＮ送信アンプ１７との接続をオンさせる。制御部２２は、再送を要求する処理の完了後、信号処理部１９に指示して、無線ＬＡＮの通信対向機器からの受信信号の受信処理を行わせると共に、スイッチ１４に指示して、ＢＴ／ＷＬＡＮ通過フィルタ１３とＷＬＡＮ受信アンプ１８との接続をオンさせる。
【００３３】
ステップＳＴ１４において、制御部２２は、通信対向機器とのネゴシエーションの結果に基づいて、ステップＳＴ１で接続をオンさせたアンプについて接続をオフさせる場合（ステップＳＴ１４“ＹＥＳ”）、図６のフローチャートに示される動作を終了し、接続オン状態を継続させる場合（ステップＳＴ１４“ＮＯ”）、ステップＳＴ２へ戻る。
【００３４】
以上のように、実施の形態１に係る無線通信装置１０は、アンテナ１１、ＢＴ／ＷＬＡＮ通過フィルタ１３、スイッチ１４、ＢＴ送信アンプ１５、ＢＴ受信アンプ１６、ＷＬＡＮ送信アンプ１７、ＷＬＡＮ受信アンプ１８、ＬＴＥ通過フィルタ２０、ＬＴＥ検知部２１、および制御部２２を備える。アンテナ１１は、ブルートゥースまたは無線ＬＡＮ用のアンテナである。ＢＴ／ＷＬＡＮ通過フィルタ１３は、ブルートゥースの周波数帯または無線ＬＡＮの周波数帯を通過させる。ＢＴ受信アンプ１６とＷＬＡＮ受信アンプ１８は、ＢＴ／ＷＬＡＮ通過フィルタ１３を通過した第１受信信号を増幅する。ＢＴ送信アンプ１５とＷＬＡＮ送信アンプ１７は、ＢＴ／ＷＬＡＮ通過フィルタ１３を通過しアンテナ１１から送信される送信信号を増幅する。スイッチ１４は、ＢＴ／ＷＬＡＮ通過フィルタ１３に対するＢＴ送信アンプ１５、ＢＴ受信アンプ１６、ＷＬＡＮ送信アンプ１７、およびＷＬＡＮ受信アンプ１８の接続をオンオフする。ＬＴＥ通過フィルタ２０は、アンテナ１１で受信された第２受信信号に含まれるＬＴＥ妨害波を通過させる。分配器１２は、アンテナ１１とＢＴ／ＷＬＡＮ通過フィルタ１３との間に設置され、アンテナ１１で受信された受信信号をＢＴ／ＷＬＡＮ通過フィルタ１３に入る第１受信信号とＬＴＥ通過フィルタ２０に入る第２受信信号とに分配する。ＬＴＥ検知部２１は、ＬＴＥ通過フィルタ２０を通過したＬＴＥ妨害波を検知する。制御部２２は、ＬＴＥ検知部２１によりＬＴＥ妨害波が検知された場合、ＢＴ／ＷＬＡＮ通過フィルタ１３に対するＢＴ送信アンプ１５、ＢＴ受信アンプ１６、ＷＬＡＮ送信アンプ１７、およびＷＬＡＮ受信アンプ１８の接続をオフするようスイッチ１４を制御する。この構成により、無線通信装置１０は、ＬＴＥ妨害波を検知した後すぐにスイッチ１４のすべての接続をオフするため、ブルートゥースまたは無線ＬＡＮ等の希望波に対する妨害波の干渉を回避することができる。即ち、すべてのアンプの飽和を防止できるため、送信信号または第１受信信号の誤りの発生を最小限に抑えることができ、通信品質の劣化を抑制することができる。また、すべてのアンプの接続をオフすることで、ＬＴＥ妨害波による各アンプへの過入力を抑制でき、回路破壊を防ぐこともできる。
【００３５】
また、実施の形態１の無線通信装置１０は、信号処理部１９を備える。この信号処理部１９は、ＬＴＥ検知部２１によりＬＴＥ妨害波が検知された場合、ＢＴ受信アンプ１６またはＷＬＡＮ受信アンプ１８により増幅された第１受信信号を誤り訂正処理する。この構成により、スイッチ１４においてすべての接続をオフする動作が間に合わずＢＴ受信アンプ１６またはＷＬＡＮ受信アンプ１８が飽和することで誤った信号が信号処理部１９に入ったとしても、誤り訂正処理により通信品質の劣化を抑制することができる。
【００３６】
また、実施の形態１の信号処理部１９は、ＬＴＥ検知部２１によりＬＴＥ妨害波が検知された場合、受信信号の再送を要求する処理を行う。通信対向機器である携帯端末１から再度受信信号を受信することによって妨害波の干渉を回避することで、通信品質の劣化を抑制することができる。
【００３７】
また、実施の形態１の信号処理部１９は、ＬＴＥ検知部２１によりＬＴＥ妨害波が検知された場合、送信信号を再送する処理を行う。通信対向機器である携帯端末１へ再度送信信号を送信することによって妨害波の干渉を回避することで、通信品質の劣化を抑制することができる。
【００３８】
なお、実施の形態１に係る無線通信装置１０は、希望波としてブルートゥースと無線ＬＡＮの両方を送受信する構成であったが、ブルートゥースまたは無線ＬＡＮの一方のみを送受信する構成であってもよい。
【００３９】
実施の形態２．
図７は、実施の形態２に係る無線通信装置１０の構成例を示すブロック図である。図７において図３と同一または相当する部分は、同一の符号を付し説明を省略する。実施の形態２の無線通信装置１０は、２本のアンテナ１１，１１ａを利用して無線ＬＡＮの通信を行う多入力多出力（ＭＩＭＯ）対応の構成である。ＭＩＭＯ対応の無線通信装置１０は、１本のアンテナ１１が無線ＬＡＮとブルートゥースとの兼用アンテナであり、もう１本のアンテナ１１ａが無線ＬＡＮ専用のアンテナであることが一般的である。その場合は、無線ＬＡＮ専用のアンテナ１１ａ側にのみ、ＬＴＥ妨害波を検知する構成を設けることにより、実施の形態１と同様の効果が得られる。
【００４０】
図７において、ブルートゥースと無線ＬＡＮとを兼用する第１の通信系統は、ブルートゥースと無線ＬＡＮとで兼用のアンテナ１１と、ブルートゥースまたは無線ＬＡＮの周波数帯を通過させるＢＴ／ＷＬＡＮ通過フィルタ１３と、スイッチ１４と、ＢＴ送信アンプ１５と、ＢＴ受信アンプ１６と、ＷＬＡＮ送信アンプ１７と、ＷＬＡＮ受信アンプ１８とを含む。これに対し、無線ＬＡＮ専用の第２の通信系統は、無線ＬＡＮ専用のアンテナ１１ａと、分配器１２と、無線ＬＡＮの周波数帯を通過させるＷＬＡＮ通過フィルタ１３ａと、スイッチ１４ａと、ＷＬＡＮ送信アンプ１７ａと、ＷＬＡＮ受信アンプ１８ａとを含む。
【００４１】
アンテナ１１側には分配器１２が設置されていないため、分配器１２で発生する通過ロスがなく、一般的に無線ＬＡＮよりも出力レベルが低いブルートゥースにとっては優位となる。
【００４２】
第２の通信系統における受信方向の動作を説明する。
アンテナ１１ａが受信した無線ＬＡＮの受信信号が、分配器１２により第１受信信号と第２受信信号とに分配される。分配器１２により分配された第１受信信号は、ＷＬＡＮ通過フィルタ１３ａに入り、無線ＬＡＮで使用される周波数帯の信号のみが通過し、ＬＴＥ等のその他の周波数帯の信号が減衰する。スイッチ１４ａは、制御部２２からの指示により、無線ＬＡＮ受信のタイミングではＷＬＡＮ通過フィルタ１３ａとＷＬＡＮ受信アンプ１８ａとの接続をオンする。フィルタ後の第１受信信号は、ＷＬＡＮ受信アンプ１８ａにて増幅され、信号処理部１９にて受信処理される。
【００４３】
第２の通信系統における送信方向の動作を説明する。
信号処理部１９は、送信処理を行い、無線ＬＡＮの通信対向機器用の送信信号を出力する。スイッチ１４ａは、制御部２２からの指示により、無線ＬＡＮ送信のタイミングではＷＬＡＮ通過フィルタ１３ａとＷＬＡＮ送信アンプ１７ａとの接続をオンする。送信信号は、ＷＬＡＮ送信アンプ１７ａにて増幅され、ＷＬＡＮ通過フィルタ１３ａに入り、無線ＬＡＮで使用される周波数帯の信号のみが通過し、ＬＴＥ等のその他の周波数帯の信号が減衰する。フィルタ後の送信信号は、分配器１２を経由してアンテナ１１ａから放出される。
【００４４】
信号処理部１９、ＬＴＥ通過フィルタ２０およびＬＴＥ検知部２１は、実施の形態１と同様の動作を行う。制御部２２は、ＬＴＥ検知部２１から検知信号を受けると、アンテナ１１およびアンテナ１１ａの両方に設けられているスイッチ１４およびスイッチ１４ａのすべての接続をオフするように制御する。
【００４５】
以上のように、実施の形態２に係る無線通信装置１０は、アンテナ１１、ＢＴ／ＷＬＡＮ通過フィルタ１３、スイッチ１４、ＢＴ送信アンプ１５、ＢＴ受信アンプ１６、ＷＬＡＮ送信アンプ１７、およびＷＬＡＮ受信アンプ１８を含む第１の通信系統と、アンテナ１１ａ、ＷＬＡＮ通過フィルタ１３ａ、スイッチ１４ａ、ＷＬＡＮ送信アンプ１７ａ、およびＷＬＡＮ受信アンプ１８ａを含む第２の通信系統とを備える。第２の通信系統は、さらに分配器１２、ＬＴＥ通過フィルタ２０、およびＬＴＥ検知部２１を備える。制御部２２は、ＬＴＥ検知部２１によりＬＴＥ妨害波が検知された場合、第１の通信系統のＢＴ／ＷＬＡＮ通過フィルタ１３に対するＢＴ送信アンプ１５、ＢＴ受信アンプ１６、ＷＬＡＮ送信アンプ１７、およびＷＬＡＮ受信アンプ１８の接続をオフするようスイッチ１４を制御すると共に、第２の通信系統のＷＬＡＮ通過フィルタ１３ａに対するＷＬＡＮ送信アンプ１７ａおよびＷＬＡＮ受信アンプ１８ａの接続をオフするようスイッチ１４ａを制御する。この構成により、無線通信装置１０は、実施の形態１と同様に希望波に対する妨害波の干渉を回避することができる。そのため、送信信号または受信信号の誤りの発生を最小限に抑えることができ、通信品質の劣化を抑制することができる。また、すべてのアンプの接続をオフすることで、ＬＴＥ妨害波による各アンプへの過入力を抑制でき、回路破壊を防ぐこともできる。
【００４６】
また、実施の形態２では、第１の通信系統がブルートゥースと無線ＬＡＮとの兼用であり、第２の通信系統が無線ＬＡＮ専用である。この場合、無線ＬＡＮ専用の第２の通信系統は、分配器１２、ＬＴＥ通過フィルタ２０、およびＬＴＥ検知部２１を備える。ブルートゥースよりも出力レベルが高い無線ＬＡＮに対して、通過ロスが発生する分配器１２を設置することにより、ブルートゥースの通信品質の劣化を抑制することができる。なお、無線ＬＡＮは出力レベルが高いため、通過ロスが発生しても通信品質への影響はほとんどない。
【００４７】
最後に、各実施の形態に係る無線通信装置１０のハードウェア構成を説明する。
図８Ａおよび図８Ｂは、各実施の形態に係る無線通信装置１０のハードウェア構成例を示す図である。無線通信装置１０においてアンテナ１１，１１ａ、分配器１２、ＢＴ／ＷＬＡＮ通過フィルタ１３、ＷＬＡＮ通過フィルタ１３ａ、スイッチ１４，１４ａ、ＢＴ送信アンプ１５、ＢＴ受信アンプ１６、ＷＬＡＮ送信アンプ１７，１７ａ、ＷＬＡＮ受信アンプ１８，１８ａ、ＬＴＥ通過フィルタ２０、およびＬＴＥ検知部２１は、アナログ回路であり、図８Ａおよび図８Ｂでは図示が省略されている。
【００４８】
無線通信装置１０における信号処理部１９および制御部２２の各機能は、処理回路により実現される。即ち、無線通信装置１０は、上記各機能を実現するための処理回路を備える。処理回路は、専用のハードウェアとしての処理回路１００であってもよいし、メモリ１０４に格納されるプログラムを実行するプロセッサ１０３であってもよい。
【００４９】
図８Ａに示されるように、処理回路が専用のハードウェアである場合、処理回路１００は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、またはこれらを組み合わせたものが該当する。信号処理部１９および制御部２２の機能を複数の処理回路１００で実現してもよいし、各部の機能をまとめて１つの処理回路１００で実現してもよい。
【００５０】
図８Ｂに示されるように、処理回路がプロセッサ１０３である場合、信号処理部１９および制御部２２の各機能は、ソフトウェア、ファームウェア、またはソフトウェアとファームウェアとの組み合わせにより実現される。ソフトウェアまたはファームウェアはプログラムとして記述され、メモリ１０４に格納される。プロセッサ１０３は、メモリ１０４に格納されたプログラムを読みだして実行することにより、各部の機能を実現する。即ち、無線通信装置１０は、プロセッサ１０３により実行されるときに、図６のフローチャートで示されるステップが結果的に実行されることになるプログラムを格納するためのメモリ１０４を備える。また、このプログラムは、信号処理部１９および制御部２２の手順または方法をコンピュータに実行させるものであるとも言える。
【００５１】
ここで、プロセッサ１０３とは、ＣＰＵ（Ｃｅｎｔｒａｌ  Ｐｒｏｃｅｓｓｉｎｇ  Ｕｎｉｔ）、処理装置、演算装置、マイクロプロセッサ、またはマイクロコンピュータ等のことである。ＡＤ変換器１０１は、電気信号をディジタル信号に変換してプロセッサ１０３へ入力する。ＤＡ変換器１０２は、プロセッサ１０３が生成したディジタル信号を電気信号に変換して出力する。
【００５２】
メモリ１０４は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、またはフラッシュメモリ等の不揮発性もしくは揮発性の半導体メモリであってもよいし、ハードディスクまたはフレキシブルディスク等の磁気ディスクであってもよいし、ＣＤ（Ｃｏｍｐａｃｔ  Ｄｉｓｃ）またはＤＶＤ（Ｄｉｇｉｔａｌ  Ｖｅｒｓａｔｉｌｅ  Ｄｉｓｃ）等の光ディスクであってもよい。
【００５３】
なお、信号処理部１９および制御部２２の各機能について、一部を専用のハードウェアで実現し、一部をソフトウェアまたはファームウェアで実現するようにしてもよい。このように、無線通信装置１０における処理回路は、ハードウェア、ソフトウェア、ファームウェア、またはこれらの組み合わせによって、上述の各機能を実現することができる。
【００５４】
この発明はその発明の範囲内において、各実施の形態の自由な組み合わせ、各実施の形態の任意の構成要素の変形、または各実施の形態の任意の構成要素の省略が可能である。
また、この発明の各実施の形態において説明した無線通信装置１０は、車両、鉄道、船舶または航空機等を含む移動体用の無線通信装置１０であって、特に車両への持込あるいは車載に適した無線通信装置１０に関するものである。
【産業上の利用可能性】
【００５５】
この発明に係る無線通信装置は、妨害波の干渉を回避するようにしたので、希望波および妨害波を発する携帯端末と通信する車載機器等の無線通信装置に用いるのに適している。
【符号の説明】
【００５６】
１  携帯端末、２  ＢＴ／ＷＬＡＮ電波、３  ＬＴＥ電波、１０  無線通信装置、１１，１１ａ  アンテナ、１２  分配器、１３  ＢＴ／ＷＬＡＮ通過フィルタ（希望波通過フィルタ）、１３ａ  ＷＬＡＮ通過フィルタ（希望波通過フィルタ）、１４，１４ａ  スイッチ、１５  ＢＴ送信アンプ、１６  ＢＴ受信アンプ、１７，１７ａ  ＷＬＡＮ送信アンプ、１８，１８ａ  ＷＬＡＮ受信アンプ、１９  信号処理部、２０  ＬＴＥ通過フィルタ（妨害波通過フィルタ）、２１  ＬＴＥ検知部（妨害波検知部）、２２  制御部、１００  処理回路、１０１  ＡＤ変換器、１０２  ＤＡ変換器、１０３  プロセッサ、１０４  メモリ。
【図１】
2019082383.tif 000003
【図２】
2019082383.tif 000004
【図３】
2019082383.tif 000005
【図４】
2019082383.tif 000006
【図５】
2019082383.tif 000007
【図６】
2019082383.tif 000008
【図７】
2019082383.tif 000009
【図８】
2019082383.tif 000010
【国際調査報告】
2019082383.tif 000011
2019082383.tif 000012
2019082383.tif 000013
2019082383.tif 000014